(57)【特許請求の範囲】
【請求項１】
撮像手段と、
前記撮像手段を収容するほぼ筒状の収容手段と、
端部の一部をほぼU字状に切り抜いた構造の取付溝を有する表示手段と
を備え、
前記収容手段は、前記取付溝に当接するまでの所定の範囲を回動するように、前記収容手段の中心から偏心した位置で前記取付溝内に軸支されている
ことを特徴とする情報処理装置。
【請求項２】
前記収容手段は、前記撮像手段を前記表示手段の正面側に向けた状態から背面側に向けた状態までの範囲を回動するように前記取付溝内に軸支されている
ことを特徴とする請求項１に記載の情報処理装置。
【請求項３】
前記取付溝は、前記表示手段の正面側より背面側が高くなっており、
前記収容手段は、前記収容手段の中心より上方かつ背面側に偏心した位置で前記取付溝内に軸支されるとともに、前記撮像手段を前記表示手段の正面側に向けた状態において、軸からの最大寸法が前記表示手段の正面側に存在し、軸からの最小寸法が前記表示手段の背面側に存在するように形成されている
ことを特徴とする請求項２に記載の情報処理装置。
【発明の詳細な説明】
【０００１】
【発明の属する技術分野】
本発明は、情報処理装置に関し、特に、携帯型の情報処理装置において、撮像部の損傷を防止するようにした、情報処理装置に関する。
【０００２】
【従来の技術】
本出願人は、例えば、特開平１０−５１６６５号公報において、携帯型パーソナルコンピュータの液晶ディスプレイが設けられているディスプレイパネル部の上端部に、小型のビデオカメラを取り付けることを先に提案した。図１５乃至図１７は、この場合の例を表している。
【０００３】
図１５において、パーソナルコンピュータ１６１は、四角い薄型形状に形成された筐体からなる本体部１６２と、本体部１６２と略同じ大きさの筐体からなり、本体部１６２に開閉自在に取り付けられ、グラフィック、文字等を表示するディスプレイパネル部１６５とから構成されている。使用時には図１５に示すように、ディスプレイパネル部１６５を上方向に回動させて開き、不使用時には、ディスプレイパネル部１６５を下方向に回動して閉じることができる構造になっている。
【０００４】
本体部１６２には、ユーザによって操作されるキーボード１６３とトラックパッド１６４等の操作部が設けられている。これらのキーボード１６３やトラックパッド１６４が操作されることにより、データの入出力が行われる。また、本体部１６２の内部には、図示せぬCPU(Central Processing Unit)、ROM(Read Only Memory)、RAM(Random Access Memory)等を搭載した回路基板が組み込まれている。
【０００５】
ディスプレイパネル部１６５には、グラフィックや文字等を表示する液晶ディスプレイ１６６が設けられ、液晶ディスプレイ１６６の上方中央位置には、CCDカメラ１６９が摺動自在に取り付けられる取付溝１６７が形成されている。
【０００６】
取付溝１６７は、ディスプレイパネル部１６５の上方中央位置の一部を略Ｕ字状に切り抜いた構造（凹部構造）となっている。CCDビデオカメラ１６９は、取付溝１６７に設けられた支持部材１６８によって支持されている。CCDビデオカメラ１６９内のCCD（図示せず）に結像された画像は、図示せぬケーブルを介してパーソナルコンピュータ１６１に取り込むことができるようになされている。
【０００７】
図１６は、CCDビデオカメラ１６９を説明するための図である。ディスプレイパネル部１６５側に固定される支持部材１６８は、CCDビデオカメラ１６９の回動球１７５の曲面と同一の曲面を有したカップ状の支持曲面１６８ｂを有している。この支持部材１６８は、回動球１７５をその支持曲面１６８ｂによって挟持するようにして摺動自在に支持する。
【０００８】
CCDビデオカメラ１６９は、略球形状に形成されたカメラ本体部１７１と、カメラ本体部１７１から筒状に突出形成されたレンズ部１７２と、カメラ本体部１７１の一部と連結した回動軸１７４と、回動軸１７４の他端側に連結した球体からなる回動球１７５とから構成されている。また、カメラ本体部１７１には、パーソナルコンピュータ１６１内部に接続されるケーブル１７３が設けられている。カメラ本体部１７１を、回動球１７５を支点として摺動させることにより、カメラ本体部１７１は、レンズ部１７２を介して所定の範囲の撮像を行うことができる。
【０００９】
このように、所定の長さの回動軸１７４を設けた構造にすることにより、カメラ本体部１７１に力が加わって方向が変えられると、回動軸１７４から回動球１７５に回転力が伝わる。即ち、回動球１７５を中心として、カメラ本体部１７１は向きを変えることができ、撮像範囲を適宜変更することができる。回転力が加えられていない時には、回動球１７５が支持部材１６８内で回動することなく、カメラ本体部１７１の撮像方向を固定支持して維持する。
【００１０】
図１７の例では、ディスプレイパネル部１６５の正面に孔１７０が形成され、その内部に、CCDビデオカメラ１６９が取り付けられている。
【００１１】
【発明が解決しようとする課題】
しかしながら、図１５に示したように、ディスプレイパネル部１６５に取付溝１６７を形成し、そこにCCDビデオカメラ１６９を支持部材１６８を介して取り付けるようにした場合、CCDビデオカメラ１６９が、ディスプレイパネル部１６５から突出するように回動することも可能であるので、ユーザが、不用意にCCDビデオカメラ１６９を他の障害物に接触させてしまい、CCDビデオカメラ１６９を損傷してしまうような恐れがあった。
【００１２】
これに対して、図１７に示すように、CCDビデオカメラ１６９を、ディスプレイパネル部１６５の表示部の正面に形成した孔１７０の中に埋め込むようにした場合には、CCDビデオカメラ１６９が、外部の障害物と衝突して損傷を受けるような可能性が少なくなるが、ディスプレイパネル部１６５を本体部１６２に対して閉じた状態にしたとき、CCDビデオカメラ１６９が本体部１６２と衝突して損傷を受ける恐れがあった。このことは、特に、CCDビデオカメラ１６９に手動でフォーカス調整できるようにした場合には、特に顕著となる。さらにまた、CCDビデオカメラ１６９をディスプレイパネル部１６５の正面に形成した孔１７０に埋め込むようにすると、CCDビデオカメラ１６９により撮像できる範囲が正面だけとなり、携帯型パーソナルコンピュータ１６１の上方、あるいは背面側の画像を取り込むことができなくなる課題があった。
【００１３】
本発明はこのような状況に鑑みてなされたものであり、CCDビデオカメラ１６９の損傷を防止するとともに、正面だけでなく、上方あるいは背面の画像をも取り込むことができるようにするものである。
【００１４】
【課題を解決するための手段】
請求項１に記載の情報処理装置は、撮像手段と、撮像手段を収容するほぼ筒状の収容手段と、端部の一部をほぼU字状に切り抜いた構造の取付溝を有する表示手段とを備え、収容手段は、取付溝に当接するまでの所定の範囲を回動するように、収容手段の中心から偏心した位置で取付溝内に軸支されていることを特徴とする。
【００１５】
請求項１に記載の情報処理装置においては、撮像手段を収容するほぼ筒状の収容手段が、表示手段の端部の一部をほぼU字状に切り抜いた構造の取付溝内を、取付溝に当接するまでの所定の範囲を回動する。
【００１６】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００１７】
請求項１に記載の情報処理装置は、撮像手段（例えば、図１のCCDビデオカメラ２３）と、撮像手段を収容するほぼ筒状の収容手段（例えば、図８のCCDビデオカメラユニット１０１）と、端部の一部をほぼU字状に切り抜いた構造の取付溝（例えば、図８の取付溝１０４）を有する表示手段（例えば、図８の表示部３）とを備え、収容手段は、取付溝に当接するまでの所定の範囲を回動するように、収容手段の中心から偏心した位置で取付溝内に軸支されていることを特徴とする。
【００１８】
以下、本発明の情報処理装置の一実施の形態を図面を参照して説明する。
【００１９】
図１乃至図６は、本発明を適用した携帯型パーソナルコンピュータの構成例を表している。このパーソナルコンピュータ１は、ミニノート型のパーソナルコンピュータとされ、基本的に、本体２と、本体２に対して開閉自在とされている表示部３により構成されている。図１は、表示部３を本体２に対して開いた状態を示す外観斜視図、図２は、図１の平面図、図３は、表示部３を本体２に対して閉塞した状態を示す左側側面図、図４は、表示部３を本体２に対して１８０度開いた状態を示す右側側面図、図５は、図３の正面図、図６は、図４の底面図である。
【００２０】
本体２には、各種の文字や記号などを入力するとき操作されるキーボード４、マウスカーソルを移動させるときなどに操作されるトラックポイント（商標）５が、その上面に設けられている。また、本体２の上面には、音を出力するスピーカ８と、表示部３に設けられているCCDビデオカメラ２３で撮像するとき操作されるシャッタボタン１０がさらに設けられている。
【００２１】
表示部３の上端部には、ツメ１３が設けられており、図３に示すように、表示部３を本体２に対して閉塞した状態において、ツメ１３に対向する位置における本体２には、ツメ１３が嵌合する孔部６が設けられている。本体２の前面には、スライドレバー７が前面に平行に移動可能に設けられており、スライドレバー７は孔部６に嵌合したツメ１３と係合してロックし、またロック解除することができるようになっている。ロックを解除することにより、表示部３を本体２に対して回動することができる。ツメ１３の隣りには、マイクロホン２４が取り付けられている。このマイクロホン２４は、図６にも示すように、背面からの音も収音できるようになされている。
【００２２】
本体２の正面にはまた、プログラマブルパワーキー（PPK）９が設けられている。本体２の右側面には、図４に示すように、排気孔１１が設けられており、本体２の前面下部には、図５に示すように、吸気孔１４が設けられている。さらに、排気孔１１の右側には、PCMCIA（Personal Comuputer Memory Card International Association）カード（ＰＣカード）を挿入するためのスロット１２が設けられている。
【００２３】
表示部３の正面には、画像を表示するLCD（Liquid Crystal Display）２１が設けられており、その上端部には、撮像部２２が、表示部３に対して回動自在に設けられている。すなわち、この撮像部２２は、LCD２１と同一の方向と、その逆の方向（背面の方向）との間の１８０度の範囲の任意の位置に回動することができるようになされている。撮像部２２には、CCDビデオカメラ２３が取り付けられている。
【００２４】
表示部３の下側の本体側には、電源ランプPL、電池ランプBL、メッセージランプML、その他のLEDよりなるランプが設けられている。なお、図３に示す符号４０は、本体２の左側面に設けられた電源スイッチであり、図５に示す符号２５は、CCDビデオカメラ２３のフォーカスを調整する調整リングである。さらに、図６に示す符号２６は、本体２内に増設メモリを取り付けるための開口部を被覆する蓋であり、符号４１は、蓋２６のロックツメを外すためのピンを挿入する小孔である。
【００２５】
図７は、パーソナルコンピュータ１の内部の構成を表している。内部バス５１には、図７に示すように、CPU（Central Processing Unit）５２、必要に応じて挿入されるＰＣカード５３、RAM（Random Access Memory）５４、およびグラフィックチップ８１が接続されている。この内部バス５１は、外部バス５５に接続されており、外部バス５５には、ハードディスクドライブ（HDD）５６、Ｉ／Ｏ（入出力）コントローラ５７、キーボードコントローラ５８、トラックポイントコントローラ５９、サウンドチップ６０、LCDコントローラ８３、モデム５０などが接続されている。
【００２６】
CPU５２は、各機能を統括するコントローラであり、ＰＣカード５３は、オプションの機能を付加するとき適宜装着される。
【００２７】
RAM５４の中には、起動が完了した時点において、電子メールプログラム（アプリケーションプログラム）５４Ａ、オートパイロットプログラム（アプリケーションプログラム）５４Ｂ、そしてＯＳ（基本プログラム）５４Ｃが、HDD５６から転送され、記憶される。
【００２８】
電子メールプログラム５４Ａは、電話回線のような通信回線などからネットワーク経由で通信文を授受するプログラムである。電子メールプログラム５４Ａは、特定機能としての着信メール取得機能を有している。この着信メール取得機能は、メールサーバ９３に対して、そのメールボックス９３Ａ内に自分（利用者）宛のメールが着信しているかどうかを確認して、自分宛のメールがあれば取得する処理を実行する。
【００２９】
オートパイロットプログラム５４Ｂは、予め設定された複数の処理（またはプログラム）などを、予め設定された順序で順次起動して、処理するプログラムである。
【００３０】
ＯＳ（基本プログラムソフトウェア）５４Ｃは、Windows９５（商標）に代表される、コンピュータの基本的な動作を制御するものである。
【００３１】
一方、外部バス５５側のハードディスクドライブ（HDD）５６には、電子メールプログラム５６Ａ、オートパイロットプログラム５６Ｂ、ＯＳ（基本プログラムソフトウェア）５６Ｃが記憶されている。ハードディスクドライブ５６内のＯＳ５６Ｃ、オートパイロットプログラム５６Ｂ、および電子メールプログラム５６Ａは、起動（ブートアップ）処理の過程で、RAM５４内に順次転送され、格納される。
【００３２】
Ｉ／Ｏコントローラ５７は、マイクロコントローラ６１を有し、このマイクロコントローラ６１には、Ｉ／Ｏインタフェース６２が設けられている。このマイクロコントローラ６１は、Ｉ／Ｏインタフェース６２、CPU６３、RAM６４、ROM６９が相互に接続されて構成されている。このRAM６４は、キー入力ステイタスレジスタ６５、LED（発光ダイオード）制御レジスタ６６、設定時刻レジスタ６７、レジスタ６８を有している。設定時刻レジスタ６７は、ユーザが予め設定した時刻（起動条件）になると起動シーケンス制御部７６の動作を開始させる際に利用される。レジスタ６８は、予め設定された操作キーの組み合わせ（起動条件）と、起動すべきアプリケーションプログラムの対応を記憶するもので、その記憶された操作キーの組み合わせがユーザにより入力されると、その記憶されたアプリケーションプログラム（例えば電子メール）が起動されることになる。
【００３３】
キー入力ステイタスレジスタ６５は、ワンタッチ操作用のプログラマブルパワーキー（PPK）９が押されると、操作キーフラグが格納されるようになっている。LED制御レジスタ６６は、レジスタ６８に記憶されたアプリケーションプログラム（電子メール）の立ち上げ状態を表示するメッセージランプMLの点灯を制御するものである。設定時刻レジスタ６７は、所定の時刻を任意に設定することができるものである。
【００３４】
なお、このマイクロコントローラ６１には、バックアップ用のバッテリ７４が接続されており、各レジスタ６５，６６，６７の値は、本体２の電源がオフとされている状態においても保持されるようになっている。
【００３５】
マイクロコントローラ６１内のROM６９の中には、ウェイクアッププログラム７０、キー入力監視プログラム７１、LED制御プログラム７２が予め格納されている。このROM６９は、例えばEEPROM（electrically erasable and programmable read only memory）で構成されている。このEEPROMはフラッシュメモリとも呼ばれている。さらにマイクロコントローラ６１には、常時現在時刻をカウントするRTC（Real-Time Clock）７５が接続されている。
【００３６】
ROM６９の中のウェイクアッププログラム７０は、RTC７５から供給される現在時刻データに基づいて、設定時刻レジスタ６７に予め設定された時刻になったかどうかをチェックして、設定された時刻になると、所定の処理（またはプログラム）などの起動をするプログラムである。キー入力監視プログラム７１は、PPK９が利用者により押されたかどうかを常時監視するプログラムである。LED制御プログラム７２は、メッセージランプMLの点灯を制御するプログラムである。
【００３７】
ROM６９には、さらにBIOS（Basic Input/Output System）７３が書き込まれている。このBIOSとは、基本入出力システムのことをいい、ＯＳやアプリケーションソフトウェアと周辺機器（ディスプレイ、キーボード、ハードディスクドライブなど）の間でのデータの受け渡し（入出力）を制御するソフトウェアプログラムである。
【００３８】
外部バス５５に接続されているキーボードコントローラ５８は、キーボード４からの入力をコントロールする。トラックポイントコントローラ５９は、トラックポイント５の入力を制御する。
【００３９】
サウンドチップ６０は、マイクロホン２４からの入力を取り込み、あるいは内蔵スピーカ８に対して音声信号を供給する。
【００４０】
モデム５０は、公衆電話回線９０、インターネットサービスプロバイダ９１を介して、インターネットなどの通信ネットワーク９２やメールサーバ９３などに接続することができる。
【００４１】
内部バス５１に接続されているグラフィックチップ８１には、CCDビデオカメラ２３で取り込んだ画像データが、処理部８２で処理された後、入力されるようになされている。グラフィックチップ８１は、処理部８２を介してCCDビデオカメラ２３より入力されたビデオデータを、内蔵するVRAM８１に記憶し、適宜、これを読み出して、LCDコントローラ８３に出力する。LCDコントローラ８３は、グラフィックチップ８１より供給された画像データをLCD２１に出力し、表示させる。バックライト８４は、LCD２１を後方から照明するようになされている。
【００４２】
電源スイッチ４０は、電源をオンまたはオフするとき操作される。半押しスイッチ８５は、シャッタボタン１０が半押し状態にされたときオンされ、全押しスイッチ８６は、シャッタボタン１０が全押し状態にされたときオンされる。反転スイッチ８７は、撮像部２２が１８０度回転されたとき（CCDビデオカメラ２３がLCD２１の反対側を撮像する方向に回転されたとき）、オンされるようになされている。
【００４３】
次に、本実施の形態の特徴である撮像部２２の構造について、図８乃至図１１を参照して説明する。図８（Ａ）に示すように、表示部３の上方中央には、撮像部２２が表示部３に対して回動自在に取り付けられている。即ち、この撮像部２２は、LCD２１と同一の方向（図８（Ａ））と、その逆の方向（背面の方向）（図８（Ｂ））との間の１８０度の範囲の任意の位置に回動することができるようになされている。
【００４４】
取付溝１０４は、表示部３の上方中央位置の一部を略Ｕ字状に切り抜いた構造となっている。
【００４５】
撮像部２２は、略円筒状に形成されたCCDビデオカメラユニット１０１と、CCDビデオカメラユニット１０１内に収容された鏡筒部１０２と、鏡筒部１０２を、そこに保持されているレンズ１０３の光軸方向に摺動させ、フォーカス位置を調整するフォーカス調整リング２５とから構成されている。
【００４６】
CCDビデオカメラユニット１０１内部には、図９（Ｂ）に示すように、パーソナルコンピュータ１内部の回路基板に接続されるケーブル１１７やCCD１１４が収容されている。CCD１１４は、鏡筒部１０２に取り付けられているレンズ１０３を介して入射される光を撮像する。撮像された画像データはケーブル１１７を介して、パーソナルコンピュータ１に取り込まれ、様々なアプリケーションを実行するために処理される。
【００４７】
フォーカス調整リング２５は、被写体にピントを合わせるために鏡筒部１０２を前後（レンズ１０３の光軸方向）に摺動させる時、ユーザにより手動操作される。また、フォーカス調整リング２５は、CCDビデオカメラユニット１０１の上側と下側に露出しているため、CCDビデオカメラユニット１０１を回転する前の状態（図８（Ａ））はもとより、１８０度回転した場合（図８（Ｂ））においても、フォーカス調整が可能となる。
【００４８】
図９（Ｂ）は、図９（Ａ）に示した撮像部２２の内部の構造を詳細に示している。鏡筒部１０２の前方周囲には、ギヤ状の凸部１０２Ａが形成されている。また、後方周囲には、雄ネジ１０２Ｂが形成されている。さらに、鏡筒部１０２の前面には、レンズ１０３が取り付けられている。
【００４９】
鏡筒支持部１１３は、鏡筒部１０２を支持するために設けられており、筒状の内部に雌ネジ１１３Ａが形成されている。鏡筒部１０２の雄ネジ１０２Ｂと鏡筒支持部１１３の雌ネジ１１３Ａが噛み合っているので、鏡筒部１０２は、それが回転されたとき、ケース１１２にネジにより固定されている鏡筒支持部１１３に対して相対的に前後方向に摺動するようになされている。鏡筒支持部１１３の筒状の奥には、撮像画像を結像するためのCCD１１４が取り付けられている。フレキシブル基板１１５は、鏡筒支持部１１３に収容される。フレキシブル基板１１５には、コネクタ１１６が取り付けられており、コネクタ１１６には、ケーブル１１７が接続されている。CCD１１４で結像された画像データは、軸１１２Ａの内部の孔に収容されるケーブル１１７を介してパーソナルコンピュータ１に取り込まれる。
【００５０】
フォーカス調整リング２５は、円形のリング構造となっており、その内側には、ギヤ状の凹部２５Ａが形成されている。フォーカス調整リング２５の凹部２５Ａには、鏡筒部１０２の前後方向の摺動を許容するように、鏡筒部１０２の凸部１０２Ａが嵌め込まれる。また、フォーカス調整リング２５は、軸方向へは移動しないようにケース１１８に回転自在に支持されている。従って、ユーザがフォーカス調整リング２５を回転させると、その回転が、凹部２５Ａと凸部１０２Ａを介して鏡筒部１０２に伝達され、鏡筒部１０２を前後方向に摺動させることができる。即ち、ユーザは被写体に対してピントを合わせることができる。
【００５１】
上述のフォーカス調整リング２５、鏡筒部１０２、鏡筒支持部１１３、フレキシブル基板１１５、コネクタ１１６、およびケーブル１１７は、ケース１１２およびケース１１８内に収められ、CCDビデオカメラユニット１０１を形成している。パネル１１９は、ケース１１８に取り付けられる。
【００５２】
ケース１１２の右側の端部には、軸１１２Ａが形成されており、この軸１１２Ａは、ネジにより表示部３に固定されている軸受１２３により回転自在に支持されるようになされている。また、ケース１１２の左側の端部には、シャフト１２１がネジにより取り付けられている。このシャフト１２１は、ネジにより表示部３に固定されている受部１２０に回転自在に支持されている。従って、ケース１１８と一体的に組み立てられたケース１１２は、軸１１２Ａとシャフト１２１を支点として、表示部３に回転自在に取り付けられる。シャフト１２１には、カム１２２が連結されており（図９（Ｃ））、反転スイッチ８７をオンまたはオフする。  これにより、撮像部２２が正面を向いているのか、背面を向いているのかが検出される。
【００５３】
図１０は、図９（Ａ）に示した撮像部２２をＩ−Ｉ’から見た矢視図である。図１０に示すように、ケース１１２とケース１１８で構成される略円筒状の部材に対して、軸１１２Ａ（シャフト１２１）は、中心より上方かつ背面側へ偏心した位置に形成（配置）されている。軸１１２Ａからの最大寸法ｌａは、ケース１１８側に存在し、最小寸法ｌｂはケース１１２側に存在するように形成されている。これにより、撮像部２２が、外側方向に（図１０において時計方向に）回動できるが、内側方向に（図１０において反時計方向に）回動できないようになされている。
【００５４】
図１１（Ａ）は、撮像部２２の撮像方向をLCD２１と同一の方向に設定した場合を示している。その右側には、撮像部２２をＩ−Ｉ’から見た矢視図が示されている。図１１（Ｂ）は、撮像部２２の撮像方向をLCD２１に対して時計方向に９０度回転させた場合を示している。その右側には、撮像部２２をＩ−Ｉ’から見た矢視図が示されている。図１１（Ｃ）は、撮像部２２の撮像方向をLCD２１に対して時計方向に１８０度回転させた場合を示している。その右側には、撮像部２２をＩ−Ｉ’から見た矢視図が示されている。
【００５５】
凹部１４１は、鏡筒部１０２をケース１１８から最も突出させた状態で、表示部３を本体２に対して閉塞したとしても、撮像部２２が本体２に接触せず、回転できるようにするために形成されている。
【００５６】
図１２は、マイクロホン２４をＩ−Ｉ’から見た矢視図である。図１２に示すように、マイクロホン２４の前面（LCD２１と同一の方向）には、スリット１５１が設けられており、マイクロホン２４の後面（LCD２１と逆の方向）には、スリット１５２が設けられている。これにより、LCD２１と同一の方向からは勿論のこと、背面からも収音できるようになされている。尚、図１、図２、および図６では、
便宜上、図１２のスリット１５１、１５２に相当する部分をマイクロホン２４として説明している。
【００５７】
図１３は、表示部３の背面側から見た撮像部２２の撮像方向を示している。図１３（Ａ）は、撮像部２２が、LCD２１と逆の方向を向いた状態を示しており、図１３（Ｂ）は、撮像部２２が、LCD２１と同一の方向から９０度回転した状態を示している。図１３（Ｃ）は、撮像部２２が、LCD２１と同一の方向を向いている状態を示している。
【００５８】
図１４は、表示部３の正面側から見た撮像部２２の撮像方向を示している。図１４（Ａ）は、撮像部２２が、LCD２１と逆の方向を向いた状態を示しており、図１４（Ｂ）は、LCD２１と同一の方向から９０度回転した状態を示している。図１４（Ｃ）は、撮像部２２が、LCD２１と同一の方向を向いた状態を示している。
【００５９】
次に、上述の構成からなるパーソナルコンピュータ１の使用方法について説明する。先ず、表示部３を本体２に対して上方向に開いて、LCD２１が見える状態にする。そして、図示せぬ被写体の画像をパーソナルコンピュータ１に取り込む時には、ユーザは、CCDビデオカメラユニット１０１を撮像方向（被写体の方向）に回動させ、所定の位置に静止させる。CCDビデオカメラユニット１０１の撮像方向は、LCD２１と同一の方向と、その逆の方向（背面の方向）との間の１８０度の範囲の任意の位置に設定することができるので、正面、即ち、パーソナルコンピュータ１のユーザのみならず、周囲の画像も撮像することができる。撮像方向にCCDビデオカメラユニット１０１を設定したら、ユーザは被写体に対してピントが合うように、フォーカス調整リング２５を回転させて、鏡筒部１０２の位置を調整する。
【００６０】
ユーザは被写体のピントが合ったらシャッタボタン１０を押し、CCDビデオカメラ２３で所望の画像を撮像する。この画像データはHDD５６に記憶される。CCDビデオカメラ２３は、被写体の画像データを処理部８２に供給する。処理部８２は、画像データを処理した後、グラフィックチップ８１に供給する。グラフィックチップ８１は、入力されたビデオデータを、内蔵するVRAM８１Ａに記憶し、適宜、これを読み出して、LCDコントローラ８３に出力する。LCDコントローラ８３は、グラフィックチップ８１より供給された画像データをLCD２１に出力し、表示させる。ユーザは被写体のピントが合ったらシャッタボタン１０を押し、CCDビデオカメラ２３で所望の画像を撮像する。この画像データはHDD５６に記憶される。取り込んだ画像は、必要に応じて、図示せぬプリンタで印刷することもできる。
【００６１】
さらに、パーソナルコンピュータ１をモデム５０、電話回線９０、およびプロバイダ９１を介して、インターネット９２に接続することにより、画像を通信相手先のパーソナルコンピュータに送信することができる。受信側では、送られてきた画像データに基づいて、画像をLCDにリアルタイムで表示することができるので、テレビ会議システム等に活用することができる。
【００６２】
【発明の効果】
以上の如く、請求項１に記載の情報処理装置によれば、撮像手段と、撮像手段を収容するほぼ筒状の収容手段と、端部の一部をほぼU字状に切り抜いた構造の取付溝を有する表示手段とを備え、収容手段は、取付溝に当接するまでの所定の範囲を回動するように、収容手段の中心から偏心した位置で取付溝内に軸支されているようにしたので、撮像手段の損傷を抑制しつつ、情報処理装置の正面、上面、および背面の画像を取り込むことが可能となる。
【図面の簡単な説明】
【図１】本発明を適用した携帯型パーソナルコンピュータの構成例の表示部を本体に対して開いた状態を示す外観斜視図である。
【図２】図１の平面図である。
【図３】図１の表示部を本体に対して閉塞した状態を示す左側側面図である。
【図４】図１の表示部を本体に対して１８０度開いた状態を示す右側側面図である。
【図５】図３の正面図である。
【図６】図４の底面図である。
【図７】図１の電気回路の構成例を示すブロック図である。
【図８】本発明の撮像部２２の取付構造を説明するための図である。
【図９】撮像部２２の構造を説明するための図である。
【図１０】撮像部２２をＩ−Ｉ’から見た矢視図である。
【図１１】撮像部２２の回動を説明するための図である。
【図１２】マイクロホン２４を説明するための図である。
【図１３】本体２に対して表示部３を閉塞した状態における撮像部２２の回動を説明するための図である。
【図１４】本体２に対して表示部３を開いた状態における撮像部２２の回動を説明するための図である。
【図１５】従来の携帯型パーソナルコンピュータの構成例の表示部を本体に対して開いた状態を示す外観斜視図である。
【図１６】  CCDビデオカメラ１６９を説明するための図である。
【図１７】従来の携帯型パーソナルコンピュータの他の構成例の表示部を本体に対して開いた状態を示す外観斜視図である。
【符号の説明】
１，１６１  パーソナルコンピュータ，  ２，１６２  本体，  ３  表示部，４，１６３  キーボード，  ５  トラックポイント，  ６  孔部，  ７  スライドレバー，  ８  スピーカ，  ９  PPK，  １０  シャッタボタン，  １１  排気孔，  １２  スロット，  １３  ツメ，  １４  吸気孔，  ２１  LCD，  ２２  撮像部，  ２３  CCDビデオカメラ，  ２４  マイクロホン，  ２５  フォーカス調整リング，  ２６  蓋，  ４０  電源スイッチ，  ４１  小孔，  ５０  MODEM，  ５１  内部バス，  ５２，６３  CPU，  ５３  ＰＣカード，  ５４，６４  RAM，  ５４Ａ，５６Ａ  電子メールプログラム，  ５４Ｂ，５６Ｂオートパイロットプログラム，  ５４Ｃ，５６Ｃ  ＯＳ，  ５５  外部バス，５６  HDD，  ５７  Ｉ／Ｏコントローラ，  ５８  キーボードコントローラ，  ５９  トラックポイントコントローラ，  ６０  サウンドチップ，  ６１  マイクロコントローラ，  ６２  Ｉ／Ｏインターフェース，  ６５  キー入力ステイタスレジスタ，  ６６  LED制御レジスタ，  ６７  設定時刻レジスタ，  ６８  レジスタ，  ６９  ROM，  ７０  ウェイクアッププログラム，  ７１  キー入力監視プログラム，  ７２  LED制御プログラム，  ７３  BIOS，  ７４バックアップ用バッテリ，  ７５  RTC，  ７６  起動シーケンス制御部，  ８１  グラフィックチップ，  ８１Ａ  VRAM，  ８２  処理部，  ８３  LCDコントローラ，  ８４  バックライト，  ８５  半押しスイッチ，  ８６  全押しスイッチ，  ８７  反転スイッチ，  ９０  電話回線，  ９１  プロバイダ，  ９２  インターネット，  ９３  メールサーバ，  ９３Ａ  メールボックス，  １０１  CCDビデオカメラユニット，  １０２  鏡筒部，  １０２Ａ  凹部，  １０２Ｂ  雄ネジ，  １０３  レンズ，  １０４，１６７  取付溝，  １１２，１１８  ケース，  １１２Ａ  軸，  １１３  鏡筒支持部，  １１３Ａ  雌ネジ，  １１４  CCD，  １１５  フレキシブル基板，  １１６  コネクタ，  １１７，１７３  ケーブル，  １１９  パネル，  １２０  受部，  １２１  シャフト，  １２２  カム，  １４１  凹部，  １５１，１５２  スリット，  １６４トラックパッド，  １６５  ディスプレイパネル部，  １６６  液晶ディスプレイ，  １６８  支持部材，  １６９  CCDビデオカメラ，  １７１  カメラ本体部，  １７２  レンズ部，  １７４  回動軸，  １７５  回動球
【図１】
0004099736.tif 000002
【図２】
0004099736.tif 000003
【図３】
0004099736.tif 000004
【図４】
0004099736.tif 000005
【図５】
0004099736.tif 000006
【図６】
0004099736.tif 000007
【図７】
0004099736.tif 000008
【図８】
0004099736.tif 000009
【図９】
0004099736.tif 000010
【図１０】
0004099736.tif 000011
【図１１】
0004099736.tif 000012
【図１２】
0004099736.tif 000013
【図１３】
0004099736.tif 000014
【図１４】
0004099736.tif 000015
【図１５】
0004099736.tif 000016
【図１６】
0004099736.tif 000017
【図１７】
0004099736.tif 000018